(57)【要約】【課題】本発明は、溶接火花養生シート装置に関し、溶接火花の飛散をコンパクトな装置によって防止し、更に、上階への盛替えを軽量化と小型化によって容易にすることが課題である。【解決手段】建築中の鉄骨柱のコラムステージに取り付けて溶接火花の飛散を防止する養生シート装置であって、上下方向に複数階に亘って架設される正面枠体と、前記正面枠体にヒンジを介して側面側に回動自在に支持されて、前記正面枠体に対して重畳可能で且つ側面側に展開可能な側面枠体と、前記正面枠体の上階における複数階のコラムステージに架設して取付けられるガイド部材であると共に前記正面枠体にそのガイド部材の下部が摺動自在に係合され、前記正面枠体の上階への昇降ガイドをする盛替えガイド部材と、前記コラムステージに設置されて前記正面枠体における縦枠に駆動手段が係合して当該正面枠体を上昇させる巻き上げ装置と、前記正面枠体と前記側面枠体との各外面側に張設される防炎シートとからなる溶接火花養生シート装置１である。【選択図】    図１
2004162297.tif 000002
【特許請求の範囲】
【請求項１】
建築中の鉄骨柱のコラムステージに取り付けて溶接火花の飛散を防止する養生装置であって、
上下方向に複数階に亘って架設される正面枠体と、
前記正面枠体にヒンジを介して側面側に回動自在に支持されて、前記正面枠体に対して重畳可能で且つ側面側に展開可能な側面枠体と、
前記正面枠体の上階における複数階のコラムステージに架設して取付けられるガイド部材であると共に前記正面枠体にそのガイド部材の下部が摺動自在に係合され、前記正面枠体の上階への昇降ガイドをする盛替えガイド部材と、
前記コラムステージに設置されて前記正面枠体における縦枠に駆動手段が係合して当該正面枠体を上昇させる巻上げ装置と、
前記正面枠体と前記側面枠体との各外面側に張設される防炎シートとからなること、
を特徴とする溶接火花養生装置。
【請求項２】
正面枠体と側面枠体との内面側には、石綿シートが張設されていること、
を特徴とする請求項１に記載の溶接火花養生装置。
【請求項３】
正面枠体は、取付対象の鉄骨柱に対して、左右に２分割されていて、分割された正面枠体の各々が前記鉄骨柱に対して上階へ盛替えられること、
を特徴とする請求項１または２に記載の溶接火花養生装置。
【請求項４】
請求項１に記載の溶接火花養生装置を鉄骨柱に取り付けて溶接作業を行った後に、
盛替えガイド部材を上階の複数階のコラムステージに架設し、
巻上げ装置をコラムステージに設置し、
側面型枠をヒンジを介して正面型枠に折り畳み、
前記巻上げ装置により前記折り畳まれた正面型枠を前記盛替えガイド部材によりガイドさせながら上昇させて上階のコラムステージに取付け、
前記側面型枠を正面型枠に重畳された状態から側面側に展開させること、
を特徴とする溶接火花養生装置の盛替え方法。
【発明の詳細な説明】
【０００１】
【発明の属する技術分野】
本発明は、溶接火花養生装置とその盛替え方法に係り、詳しくは、溶接火花の飛散をコンパクトな装置によって防止し、更に、上階への盛替えを軽量化と小型化によって容易にする養生装置とその盛替え方法に関する。
【０００２】
【従来の技術】
従来において、建物の構築において、図８に示すように、鉄骨柱２と大梁１１，１２との接合において、鉄骨の溶接や切断の作業における溶接火花の飛散防止には、例えば、鉄骨柱２において、各フロアー毎に設けられるコラムステージ３の手摺りに防炎シート６を取り付けて、飛散防止対策としている。更に外側には養生ネット１３が配設されている。
【０００３】
また、本願出願人による、昇降ガイド枠体により昇降自在な昇降基台を駆動手段で養生ネットを昇降させていくものが知られている（例えば、特許文献１参照。）。
【０００４】
【特許文献１】
特開平１１−４４０９５号公報（第１頁〜７頁、第１図）
【０００５】
【発明が解決しようとする課題】
しかしながら、防炎シートをコラムステージの手摺りに取付けるのでは、各節の建方毎に、前記防炎シートの結束を外して盛替えしなければならず手間が掛かる。また、風に対しても防炎シートが煽られてばたつき、前記手摺りから当該シートが外れてしまうおそれもある。更に、階高によっては高さ調整が必要となる場合もある。その他、前記防炎シートが繰り返して転用するうちに溶接火花により焦げて取り替える必要もある。一方、自動昇降装置による養生ネットでは、全体として大がかりな装置となって、コストが嵩むものとなる。本発明にかかる溶接火花養生装置とその盛替え方法は、このような課題を解決するために提案されたものである。
【０００６】
【課題を解決するための手段】
上記課題を解決するために、本発明に係る溶接火花養生装置の要旨は、建築中の鉄骨柱のコラムステージに取り付けて溶接火花の飛散を防止する養生装置であって、上下方向に複数階に亘って架設される正面枠体と、前記正面枠体にヒンジを介して側面側に回動自在に支持されて、前記正面枠体に対して重畳可能で且つ側面側に展開可能な側面枠体と、前記正面枠体の上階における複数階のコラムステージに架設して取付けられるガイド部材であると共に前記正面枠体にそのガイド部材の下部が摺動自在に係合され、前記正面枠体の上階への昇降ガイドをする盛替えガイド部材と、前記コラムステージに設置されて前記正面枠体における縦枠に駆動手段が係合して当該正面枠体を上昇させる巻上げ装置と、前記正面枠体と前記側面枠体との各外面側に張設される防炎シートとからなることである。
【０００７】
また、前記正面枠体と側面枠体との内面側には、石綿シートが張設されていること、；
更に、前記正面枠体は、取付対象の鉄骨柱に対して、左右に２分割されていて、分割された正面枠体の各々が前記鉄骨柱に対して上階へ盛替えられること、；を含むものである。
【０００８】
本発明に係る溶接火花養生装置の盛替え方法の要旨は、前記溶接火花養生装置を鉄骨柱に取り付けて溶接作業を行った後に、盛替えガイド部材を上階の複数階のコラムステージに架設し、巻上げ装置をコラムステージに設置し、側面型枠をヒンジを介して正面型枠に折り畳み、前記巻上げ装置により前記折り畳まれた正面型枠を前記盛替えガイド部材によりガイドさせながら上昇させて上階のコラムステージに取付け、前記側面型枠を正面型枠に重畳された状態から側面側に展開させることである。
【０００９】
本発明に係る溶接火花養生装置とその盛替え方法によれば、溶接作業対象の鉄骨柱に対して、コンパクトな養生装置を取り付けて、溶接火花の飛散が防止される。また、折り畳みが容易であって、養生装置の全体を小さく畳んで上階に盛替えができる。それにより、巻上げ装置も小さなもので済み、コラムステージに脱着自在にできる小形の装置となる。更に、台風時の強風が心配されるときにおいても、前記養生装置を折り畳んでコンパクトにすることで、強風の被害を避けることができる。
【００１０】
【発明の実施の形態】
次に、本発明に係る溶接火花養生装置１とその盛替え方法について、図面を参照して説明する。なお、発明の理解を容易にするため、従来例に対応する部分には従来例と同一の符号を付けて説明する。
【００１１】
溶接火花養生装置１は、図１乃至図２に示すように、建築中の鉄骨柱２のコラムステージ３に取り付けて、溶接火花の飛散を防止する養生装置であって、上下方向に複数階、例えば、３階分に亘って架設される正面枠体４がある。この正面枠体４は、アルミニウム製の角パイプ１ａで縦に細長く、四角形状に形成されている。
【００１２】
前記正面枠体４には、前記取付対象の鉄骨柱２に対して、左右に２分割されていて、分割された正面枠体４の各々が前記鉄骨柱２に対して上階へ盛替えられるものである。
【００１３】
更に、前記正面枠体４には、ヒンジを介して、前記正面枠体４よりも幅の狭い回動自在な重畳枠体４ａが設けられている。そして、前記正面枠体４にヒンジを介して側面側に回動自在に支持されて、前記正面枠体４に対して重畳可能で且つ側面側に展開可能な側面枠体５が設けられる。この側面枠体５も、アルミニウム製の角パイプ１ａで縦に細長く、四角形状に形成されている。
【００１４】
前記正面枠体４と、重畳枠体４ａと、側面枠体５とにおける、それぞれの外面側に養生シートとして、防炎シート６が全面に亘って張設される。
【００１５】
また、前記正面枠体４と、重畳枠体４ａと、側面枠体５とにおける、その内面側においては、その上下方向において各階のコラムステージ３に対応する部分の範囲に亘って、石綿シート７が各々張設されている。
【００１６】
更に、建物の階高が上階に行くに従って変更される場合や、他の建物に転用する際に階高が異なる場合には、養生装置１の前記各枠体の高さを調節する必要があるので、前記正面枠体４と、重畳枠体４ａと、側面枠体５との上下方向の位置調整は、それぞれの縦枠をスライド自在にしておいて、高さ調節できるようにしておくものである。
【００１７】
更に、図３乃至図５に示すように、前記正面枠体４の上階における複数階のコラムステージ３に架設して取付けられるガイド部材であると共に、上階への盛替えの際には前記正面枠体４にそのガイド部材の下部８ａが摺動自在に係合され、前記正面枠体４の上階への昇降ガイドをする盛替えガイド部材８が設けられている。該盛替えガイド部材８は、アルミニウム製の軽量材で形成され、矩形状の筒状体でその一側面に上下方向に沿ってスリットがあるものである。
【００１８】
前記ガイド部材８の内部空間には、上下方向の移動をガイドして左右方向の位置決めをするガイドローラ９が嵌合される。該ガイドローラ９は、コラムステージ３から突出させた支持軸で回転自在に支持されている。
【００１９】
前記コラムステージ３に設置され、前記正面枠体４における縦枠４ｂに駆動手段が係合して当該正面枠体４を上昇させる巻上げ装置１０が設けられる。この巻上げ装置１０には、例えば、図６に示すように、縦枠４ｂに刻設されたラックに噛合する歯車１０ａと伝達部材１０ｂと、駆動歯車１０ｃと該駆動歯車を回転させるハンドル１０ｄ等の上昇駆動機構が設けられているものである。なお、上昇駆動機構としては、これに限らず、公知の機構が採用されるものである。
【００２０】
この巻上げ装置１０は、前記縦枠４ｂのラックに対して着脱自在であり、正面枠体４を上昇させるときにだけ、図３乃至図４に示すように、コラムステージ３にセットされるものである。
【００２１】
更に、溶接火花養生装置１は、図１乃至図２に示すように、コンパクト化と軽量化とのために、正面枠体４は、取付対象の鉄骨柱２に対して、左右対象に２分割されていて、分割された両方の正面枠体４，４の各々が前記鉄骨柱２に対して上階へ盛替えられるようにしてある。これにより、全体の重量が軽くなり、作業者にとって取り扱いやすいものとなり、上階への盛替え作業が容易になるものである。
【００２２】
以上のようにして成る本発明の溶接火花養生装置１より、防炎シート６を上階に盛替えていく様子を図７を参照して説明する。まず、図７（Ａ）に示すように、建築中の建物の３階分に亘って、溶接火花養生装置１を左右対称にしてコ字型にセットして、溶接作業を行う。正面枠体４に対して、側面枠体５が側面に展開され、重畳枠体４ａが正面に展開されて、図４に示すように、鉄骨柱２に対して、平面視で全体としてコ字型に囲うように配設されている。なお、外側には、養生ネット１３が配設されている。
【００２３】
前記鉄骨柱２に対するＮ節の溶接作業が終了したなら、図７（Ｂ）に示すように、Ｎ＋１節のコラムステージ３に対して、盛替えガイド部材８を上階のコラムステージ３に各々架設して、上端をその手摺りに取り付ける（図中のＡ部）。この盛替えガイド部材８の下部８ａは、正面枠体４の上部に位置するコラムステージ３にまで配設してガイドローラ９に係合させる。
【００２４】
そして、縦枠４ｂのラックに歯車１０ａを噛合させて、巻上げ装置１０を前記コラムステージ３にセットする。次に、側面枠体５をヒンジで回転させて正面枠体４に重畳させ、更に、重畳枠体４ａをヒンジで回転させて前記正面枠体４に重畳させる（図３に示す状態）。クランプ等で、扇動されないように正面枠体４に固定する。
【００２５】
次に、前記巻上げ装置１０のハンドル１０ｄを作業員が巻き上げ方向に回転させる。よって、図６及び図７（Ｃ）に示すように、前記歯車１０ａの回転によりラックを押し上げられて縦枠４ｂが上昇し、正面枠体４が上昇する。図７（Ｄ）に示すように、正面枠体４がＮ＋１節の３階に亘るコラムステージ３に到達したなら、手摺り等に固定する。その後、巻上げ装置１０と盛替えガイド部材８は撤去する。また、不要となったＮ節のコラムステージ３を各々撤去する。
【００２６】
正面枠体４から、重畳枠体４ａを展開させ、更に、側面枠体５を側面側に展開させて、コラムステージ３の手摺り等に各々固定する。こうして、溶接火花養生装置１の盛替え作業が完了する。
【００２７】
前記養生装置１を上階に盛替えるに従って階高が変わるときには、縦枠をスライドさせて高さを調節する。このようにして、折り畳んで重畳させた正面枠体４を、巻上げ装置１０で盛替えていくものである。また、台風時の強風に対しては、正面枠体４に側面枠体５と重畳枠体４ａとを折り畳むことで、煽られないようにできるものである。
【００２８】
【発明の効果】
上記説明したように、本発明に係る溶接火花養生装置は、建築中の鉄骨柱のコラムステージに取り付けて溶接火花の飛散を防止する養生装置であって、上下方向に複数階に亘って架設される正面枠体と、前記正面枠体にヒンジを介して側面側に回動自在に支持されて、前記正面枠体に対して重畳可能で且つ側面側に展開可能な側面枠体と、前記正面枠体の上階における複数階のコラムステージに架設して取付けられるガイド部材であると共に前記正面枠体にそのガイド部材の下部が摺動自在に係合され、前記正面枠体の上階への昇降ガイドをする盛替えガイド部材と、前記コラムステージに設置されて前記正面枠体における縦枠に駆動手段が係合して当該正面枠体を上昇させる巻上げ装置と、前記正面枠体と前記側面枠体との各外面側に張設される防炎シートとからなるので、折り畳むことで軽量且つコンパクトな枠体となって、盛り替作業が容易となると言う優れた効果を奏するものである。前記正面枠体を上昇させる巻き上げ装置も簡易な構成で、コラムステージに着脱自在で、取扱いが容易である。
【００２９】
本発明に係る溶接火花養生装置の盛替え方法は、前記溶接火花養生装置を鉄骨柱に取り付けて溶接作業を行った後に、盛替えガイド部材を上階の複数階のコラムステージに架設し、巻上げ装置をコラムステージに設置し、側面型枠をヒンジを介して正面型枠に折り畳み、前記巻上げ装置により前記折り畳まれた正面型枠を前記盛替えガイド部材によりガイドさせながら上昇させて上階のコラムステージに取付け、前記側面型枠を正面型枠に重畳された状態から側面側に展開させる盛替え方法なので、盛替え対象の正面枠体がコンパクトで軽量にしてから巻き上げることができて作業が容易となるという効果がある。
【図面の簡単な説明】
【図１】本発明に係る溶接火花養生装置１の斜視図である。
【図２】同本発明に係る溶接火花養生装置１の使用状態の正面図である。
【図３】同本発明に係る溶接火花養生装置１の使用状態の一部斜視図である。
【図４】同本発明に係る溶接火花養生装置１の使用状態の一部平面図である。
【図５】盛替えガイド部材８の斜視図である。
【図６】巻上げ装置１０の概略構成を示す説明図である。
【図７】本発明に係る溶接火花養生装置１による盛替え方法を示す説明図（Ａ）〜（Ｄ）である。
【図８】従来例に係る溶接火花の防炎シートの実施例を示す説明図である。
【符号の説明】
１          溶接火花養生装置、        ２        鉄骨柱、
３          コラムステージ、          ４        正面枠体、
４ａ        重畳枠体、                ４ｂ      縦枠、
５          側面枠体、                ６        防炎シート、
７          石綿シート、              ８        盛替えガイド部材、
９          ガイドローラ、            １０      巻上げ装置、
１１，１２  大梁、                    １３      養生ネット。
【図１】
2004162297.tif 000003
【図２】
2004162297.tif 000004
【図３】
2004162297.tif 000005
【図４】
2004162297.tif 000006
【図５】
2004162297.tif 000007
【図６】
2004162297.tif 000008
【図７】
2004162297.tif 000009
【図８】
2004162297.tif 000010